(57)【要約】【課題】コンパクトに構成することができる保護部材の貼付用治具、及び保護部材包装製品を提供する。【解決手段】貼付用治具は、平坦なシート材２０からなり、かつシート材２０を変形させることによって携帯機器１００の被保護面１０１に保護部材を貼り付けるための治具の構造に形成されることを特徴とする。シート材２０は、シート材２０の外面から切り起こされかつ携帯機器１００の外周面１０３を当接させることによってシート材２０に対して携帯機器１００を位置決めするための当接片４１，４２と、シート材２０の一部を折り曲げることによって構成され、当接片４１，４２により位置決めされた携帯機器１００の被保護面１０１上に位置合わせされた保護部材を保持し、かつ折り曲げ部分２４を支点として揺動させることで、保持している保護部材を被保護面１０１上と被保護面１０１から離反した位置との間で移動させる揺動片２０ｂと、を備える。【選択図】図６
2017211423.tif 000002
【特許請求の範囲】
【請求項１】
平坦なシート材からなり、かつ当該シート材を変形させることによって携帯機器の被保護面に保護部材を貼り付けるための治具の構造に形成される、貼付用治具。
【請求項２】
前記シート材は、当該シート材の外面から切り起こされかつ携帯機器の前記被保護面の周囲に設けられた外周面を当接させることによって当該シート材に対して携帯機器を位置決めするための当接片と、
前記シート材の一部を折り曲げることによって構成されるとともに、前記当接片により位置決めされた携帯機器の前記被保護面上に位置合わせされた保護部材を保持し、かつ折り曲げ部分を支点として揺動させることで、保持している前記保護部材を前記被保護面上と前記被保護面から離反した位置との間で移動させる揺動片と、を備えている、請求項１に記載の貼付用治具。
【請求項３】
前記当接片が前記シート材の背面側に切り起こされることによって、前記シート材には携帯機器の外周面を嵌合させる開口部が形成される、請求項２に記載の貼付用治具。
【請求項４】
前記当接片は、前記シート材の背面側に切り起こされ、
前記シート材は、前記当接片から延長されるとともに前記被保護面とは反対側の携帯機器の背面へ向けて折り曲げられかつ当該背面に当接する背面受け片をさらに備えている、請求項２又は３に記載の貼付用治具。
【請求項５】
前記シート材が紙製である、請求項１〜４のいずれかに記載の貼付用治具。
【請求項６】
前記シート材が、前記保護部材を包装するための包装具の少なくとも一部を構成している、請求項１〜５のいずれかに記載の貼付用治具。
【請求項７】
請求項６に記載の貼付用治具と、当該貼付用治具としてのシート材を用いて包装された保護部材とを備えている、保護部材包装製品。
【発明の詳細な説明】
【技術分野】
【０００１】
本発明は、携帯機器の表面等を保護する保護フィルム等の保護部材を携帯機器に貼り付けるための貼付用治具、並びに保護部材を包装した包装製品に関する。
【背景技術】
【０００２】
一般的なスマートフォンやタブレット端末等の携帯機器には、タッチパネル等の表示画面が設けられており、この表示画面を保護するために保護フィルムが用いられている。この保護フィルムは、通常、表示画面が設けられた携帯機器の表面全体を覆うことができる大きさ及び形状に形成されている。また、保護フィルムの背面には粘着面が設けられ、この粘着面が剥離フィルム（セパレータ）で覆われている。そして、保護フィルムは、携帯機器の表面に対して位置合わせしながら剥離フィルムを剥がし、粘着面を当該表面に押し付けることによって貼り付けられる。
【０００３】
この種の保護フィルムを携帯機器の表面に見栄えよく貼り付けるには、当該表面に保護フィルムを正確に位置付けるだけでなく、当該表面と保護フィルムとの間に空気や異物を噛み込まないようにすることが必要である。しかし、携帯機器のユーザーがこれらの要求を満たすように保護フィルムを貼り付けるにはある程度の慣れが必要であり、経験の少ないユーザーは失敗する可能性もある。
【０００４】
一方、下記特許文献１及び２には、保護フィルムを貼り付けるための貼付用治具が提案されており、この貼付用治具を用いることによって、不慣れなユーザーであっても正確な位置にきれいに保護フィルムを貼り付けることが可能となる。また、特許文献１及び２の貼付用治具は、保護フィルムとセットになった状態で提供され、ユーザーは、保護フィルムと貼付用治具とのセットを購入することによって貼付用治具を用いて保護フィルムを携帯機器に貼り付けることができる。
【先行技術文献】
【特許文献】
【０００５】
【特許文献１】特開２０１５−１１１１９４号公報
【特許文献２】特開２０１４−２２４６号公報
【発明の概要】
【発明が解決しようとする課題】
【０００６】
スマートフォン等の携帯機器は、機種によって大きさや形状が異なる。そのため、保護フィルムも機種に応じて形成され、保護フィルムの貼付用治具も、機種に応じたものが必要となる。したがって、保護フィルム及び貼付用治具のセットは、特定の機種専用のものとなる。
【０００７】
特許文献１及び２に記載された貼付用治具は、携帯機器の外形寸法に応じて形成された板形状若しくはブロック形状であり、当該貼付用治具に携帯機器を固定した状態で、携帯機器の表面に位置合わせした保護フィルムを貼付用治具に仮止めし、保護フィルムの粘着面を携帯機器に貼り付けるものとなっている。
【０００８】
しかしながら、特許文献１及び２の貼付用治具はある程度の厚みがあるために、保護フィルムとセットにした状態で包装すると、保護フィルムの包装製品が分厚くなり大型化する。また、貼付用治具は、特定の機種にしか用いることができないので、一旦、保護フィルムの貼り付けに利用した後は、次にその機種の保護フィルムを貼り替えるまでは用いることがない。また、ユーザーが機種を変更した場合等には一度の使用のみで当該貼付用治具が不要となる場合もある。特許文献１及び２の貼付用治具は、合成樹脂材によって成形されるものと考えられ、製造にはそれなりのコストがかかるが、一度しか使用されない場合はコストパフォーマンスが著しく低下する。
【０００９】
本発明は、上記のような実情に鑑みてなされたものであり、コンパクトに構成することができる保護部材の貼付用治具、及び保護部材包装製品を提供することを主な目的とする。
【課題を解決するための手段】
【００１０】
（１）本発明の貼付用治具は、平坦なシート材からなり、かつ当該シート材を変形させることによって携帯機器の被保護面に保護部材を貼り付けるための治具の構造に形成されることを特徴とする。
上記構成の貼付用治具は、治具の構造に変形させる前の状態では平坦な形状とされるため、コンパクトに構成することができる。したがって、貼付用治具と保護部材とをセットにした場合であってもコンパクトに構成することができる。
【００１１】
（２）前記シート材は、当該シート材の外面から切り起こされかつ携帯機器の前記被保護面の周囲に設けられた外周面を当接させることによって当該シート材に対して携帯機器を位置決めするための当接片と、
前記シート材の一部を折り曲げることによって構成されるとともに、前記当接片により位置決めされた携帯機器の前記被保護面上に位置合わせされた保護部材を保持し、かつ折り曲げ部分を支点として揺動させることで、保持している前記保護部材を前記被保護面上と前記被保護面から離反した位置との間で移動させる揺動片と、を備えていることが好ましい。
【００１２】
この構成によれば、携帯機器に保護部材を貼り付ける際に、シート材の当接片を切り起こし、当接片に携帯機器を当接させることでシート材（貼付用治具）に対して携帯機器を位置決めする。そして、被保護面に正確に位置合わせした保護部材を揺動片により保持し、揺動片を揺動させることで保護部材を被保護面から離反させる。これにより保護部材から剥離フィルム等を剥がして粘着面を露出させることができる。その後、再び揺動片を揺動させることによって保護部材を被保護面上に正確に位置付けながら保護部材を被保護面に貼り付けることができる。
【００１３】
（３）上記（２）の構成において、前記当接片が前記シート材の背面側に切り起こされることによって、前記シート材には携帯機器の外周面を嵌合させる開口部が形成されることが好ましい。
この構成によれば、シート材に形成される開口部に携帯機器の外周面を嵌合させることによって確実にシート材に対して携帯機器を位置決めすることができる。
【００１４】
（４）上記（２）の構成において、前記当接片は、前記シート材の背面側に切り起こされ、
前記シート材は、前記当接片から延長されるとともに前記被保護面とは反対側の携帯機器の背面へ向けて折り曲げられかつ当該背面に当接する背面受け片をさらに備えていることが好ましい。
このような構成によって、携帯機器の外周面と背面とをそれぞれ当接片と背面受け片とに当接させ、確実にシート材に対して携帯機器を位置決めすることができる。
【００１５】
（５）前記シート材は紙製であることが好ましい。
このような構成によって、シート材を容易に治具の構造に変形させることができ、しかも軽量かつ安価に貼付用治具を構成することができる。
【００１６】
（６）前記シート材は、前記保護部材を包装するための包装具の少なくとも一部を構成していることが好ましい。
このような構成によって、保護部材の包装具を貼付用治具として利用することが可能となる。また、保護部材を包装具で包装することによって、保護部材と貼付用治具とのセットを構成することができる。
【００１７】
（７）本発明の保護部材包装製品は、上記（６）に記載の貼付用治具と、当該貼付用治具としてのシート材を用いて包装された保護部材とを備えていることを特徴とする。
この構成によれば、保護部材と貼付用治具とをセットにして包装した保護部材包装製品を薄くコンパクトに構成することができる。
【発明の効果】
【００１８】
本発明によれば、貼付用治具及び保護部材包装製品をコンパクトに構成することができる。
【図面の簡単な説明】
【００１９】
【図１】本発明の一実施形態に係る保護部材包装製品を示す斜視図である。
【図２】包装製品を分解して示す斜視図である。
【図３】図１のＡ−Ａ線断面図である。
【図４】包装容器の展開図である。
【図５】包装容器を展開した状態から組み立てる様子を示す斜視図である。
【図６】治具構造に変形させた包装容器を表面側から見た斜視図である。
【図７】治具構造に変形させた包装容器を背面側から見た斜視図である。
【図８】貼付用治具に携帯機器をセットした状態を示す断面図である。
【図９】携帯機器に保護部材を貼り付ける手順を示す断面図である。
【発明を実施するための形態】
【００２０】
図１は、本発明の一実施形態に係る保護部材包装製品を示す斜視図、図２は、包装製品を分解して示す斜視図、図３は、図１のＡ−Ａ線断面図である。
本実施形態の保護部材包装製品１は、包装具１０と、包装具１０に包装された保護部材１１とを備えている。保護部材１１は、スマートフォンやタブレット端末等の携帯機器１００（図６参照）の表面（被保護面）を保護するためのものである。
【００２１】
携帯機器１００は、正面視長方形状で、幅及び高さ寸法よりも小さい厚さ寸法を有する直方体形状（板形状）に形成され、表面（正面）１０１にタッチパネルからなる表示画面１０１ａが設けられている。本実施形態の保護部材１１は、携帯機器１００の表面１０１全体を覆うことによって当該表面１０１を保護するものとされている。また、本実施形態の保護部材１１は、携帯機器１００の表示画面１０１ａの視認性を確保することができる透明な保護フィルムからなる。保護フィルム１１は、可撓性を有し、容易に湾曲させることができる。ただし、保護部材１１は、湾曲させることが困難な剛性を有する硬質な素材、例えばガラス材やアクリル板等の合成樹脂材によって形成されていてもよく、特に素材は限定されない。
【００２２】
携帯機器１００は、例えば、幅６０〜８０ｍｍ、高さ１２０〜１６０ｍｍ、厚さ６〜１０ｍｍ程度の直方体形状に形成されている。以下の説明では、携帯機器１００の表面１０１とは反対側の面を背面１０２といい、表面１０１及び背面１０２の周囲に配置される面を外周面１０３という。
【００２３】
図１及び図２に示すように、包装具１０は、包装袋１２と、包装容器１３とを備えている。包装袋１２は、ポリプロピレン等の透明な合成樹脂製のフィルムにより形成されている。包装袋１２は、袋本体１２ａと、閉塞部１２ｂとを一体に備えている。袋本体１２ａは、正面視長方形状に形成されている。袋本体１２ａは、表面フィルム１２ａ１と背面フィルム１２ａ２とが重ね合わされ、下端の一辺が開口し他の三辺が閉じた袋形状に形成されている。閉塞部１２ｂは、袋本体１２ａの表面フィルム１２ａ１の下端から下方に延長され、背面に粘着面が設けられている。袋本体１２ａは、閉塞部１２ｂを背面側に折り返して粘着面を背面フィルム１２ａ２に貼り付けることによって閉じられる。
【００２４】
包装容器１３は、袋本体１２ａよりもやや幅及び高さ寸法が小さい長方形状に形成され、包装袋１２の開口から内部に挿入される。包装容器１３の内部には、保護フィルム１１が収容される。また、包装容器１３は、包装袋１２の形状を保持する台紙（芯材）としても機能する。また、包装容器１３及び包装袋１２の上端部には、包装製品１を吊り下げて展示するために吊り下げ具を挿入させる貫通孔１９が形成されている。
【００２５】
図４は、包装容器１３の展開図であり、図５は、包装容器１３を展開した状態から組み立てる様子を示す斜視図である。
包装容器１３は、自身の形状を保持できる程度の剛性を有しかつ折り曲げや切断等の加工を容易に行うことができるシート材、例えばボール紙などの厚紙によって形成されている。包装容器１３は、当該包装容器１３の表面を構成する表面部１４と、背面を構成する背面部１５と、表面部１４と背面部１５との間に配置される中間部２０とを備えている。表面部１４及び背面部１５は、略同一の長方形状に形成されている。中間部２０は、表面部１４及び背面部１５と略同一の幅寸法と、表面部１４及び背面部１５よりも大きい上下方向の寸法とを有する略長方形状に形成されている。包装容器１３が展開された状態では、中間部２０の上端部及び下端部が、それぞれ表面部１４及び背面部１５から上方及び下方へ突出している。
【００２６】
図４において、中間部２０と背面部１５とは、それぞれ表面部１４の幅方向両側に設けられている。表面部１４と中間部２０との境界及び表面部１４と背面部１５との境界にはそれぞれ第１及び第２の折り曲げ部２１，２２が形成されている。第１及び第２の折り曲げ部２１，２２は、折り曲げを容易にするように切れ目が断続的に形成されたミシン目状に形成されている。ただし、折り曲げ部２１，２２は、ミシン目状に限らず、折り曲げ部分を部分的に薄く形成した構造、又は凹ませた構造等であってもよく、単に折り曲げ部分を示す線を描いただけであってもよい。なお、以下に説明する他の折り曲げ部においても、前記第１及び第２の折り曲げ部２１，２２と同様のミシン目状等に形成されている。
【００２７】
包装容器１３は、中間部２０の表面側に表面部１４を折り曲げて（図５の矢印ａ参照）重ね合わせ、さらに、背面部１５を中間部２０の背面側に折り曲げて（図５の矢印ｂ参照）重ね合わせることによって、図３に示すように三重に重ね合わされる。保護フィルム１１は、表面部１４と中間部２０との間に収納される。したがって、包装容器１３は、保護フィルム１１を表裏両側から包み込んでいる。
【００２８】
表面部１４や背面部１５の外部に露出する面には、保護フィルム１１の商品名、適用機種、使用方法、材質等の各種情報が印刷される。組立状態で外部に露出する表面部１４及び背面部１５の一面は、図４に示す展開状態では同じ側に面一の状態で配置される。そのため、これらの面に対する印刷を同時に行うことができ、印刷に伴う作業性を高め、印刷コストを低減することができる。
【００２９】
図４及び図５に示すように、中間部２０の下部には、表面部１４及び背面部１５の下縁から一直線上に延びる第３の折り曲げ部２３が形成されている。中間部２０の第３の折り曲げ部２３よりも下方の部分は、中間部２０と表面部１４との間に収納された保護フィルム１１を下側から受ける底部２０ａとして機能する。底部２０ａは、中間部２０と表面部１４とが重ね合わされる前に第３の折り曲げ部２３を介して上方へ折り曲げられ（図５の矢印ｃ参照）、中間部２０と表面部１４との間に収納された保護フィルム１１を下方から支持し、包装容器１３からの保護フィルム１１の脱落を防止している。
【００３０】
中間部２０において、表面部１４及び背面部１５から上方に突出する部分には、幅方向に延びる第４の折り曲げ部２４が形成されている。中間部２０の第４の折り曲げ部２４よりも上方の部分は、第４の折り曲げ部２４よりも下方の部分に重ね合わされる折り重ね部２０ｂを構成している。そして、中間部２０の上部は、第４の折り曲げ部２４を介して下方に折り曲げられ（図５の矢印ｄ参照）、二重構造に形成される。この二重構造の部分には、前述した吊り下げ用の貫通孔１９が形成されている。そのため、包装容器１３は、吊り下げ具によって吊り下げられる部分の強度が高められ、破れ等の損傷が防止されている。
【００３１】
包装容器１３における中間部２０は、携帯機器１００の表面１０１に保護フィルム１１を貼り付けるための貼付用治具としても用いられる。具体的には、平坦なシート材である中間部２０は、立体的に変形させることによって治具の構造に形成される。中間部２０は、紙面（外面）から切り起こされることによって構成される当接片４１，４２、背面受け片５１，５２、及び支持片５３等を備えている。
【００３２】
図４に示すように、中間部２０には、予め複数の切れ目と折り曲げ部とが形成されている。切れ目は、携帯機器１００のコーナー部に相当する４か所に形成された第１の切れ目３１と、幅方向に間隔をあけて高さ方向に沿って形成された２箇所の第２の切れ目３２と、携帯機器１００の高さ方向の中央に相当する位置において２箇所の第２の切れ目３２の間を幅方向に沿って形成された第３の切れ目３３とを含んでいる。第２の切れ目３２の上端と下端とは、それぞれ第１の切れ目３１に幅方向の内側の端部に接続されている。
【００３３】
折り曲げ部は、幅方向に隣り合う第１の切れ目３１の間に幅方向に沿って形成された第５の折り曲げ部２５と、高さ方向に隣り合う第１の切れ目３１の間に高さ方向に沿って形成された第６の折り曲げ部２６と、上部側の第５の折り曲げ部２５の下側、及び下部側の第５の折り曲げ部２５の上側に所定の間隔をあけて形成された第７の折り曲げ部２７と、左側の第６の折り曲げ部２６の右側、及び右側の第６の折り曲げ部２６の左側に所定の間隔をあけて形成された第８の折り曲げ部２８とを含む。前記所定の間隔は、携帯機器１００の厚さに相当する寸法に設定されている。
【００３４】
第８の折り曲げ部２８の上側と下側には、第８の折り曲げ部２８から一直線上に延長されるとともに、その上端及び下端が第１の切れ目３１に向けて幅方向に屈曲された略Ｌ字形状の第４の切れ目３４が形成されている。
【００３５】
図６は、治具構造に変形させた包装容器を表面側から見た斜視図、図７は、治具構造に変形させた包装容器を背面側から見た斜視図である。
包装容器１３の中間部２０を貼付用治具として用いる場合、図４に示すように、中間部２０と表面部１４との境界に設けられた第１の折り曲げ部２１を切断し、中間部２０単独で使用する。このとき第１の折り曲げ部２１はミシン目状に形成されているため、ハサミやカッター等の切断器具を用いなくても容易に切断することができる。
【００３６】
図６及び図７に示すように、第５の折り曲げ部２５と第７の折り曲げ部２７との間の部分は、包装容器１３の中間部２０の表面から背面側へ９０°の角度で折り曲げることによって携帯機器１００の上下端の外周面１０３に当接させる第１の当接片４１を構成している。また、第６の折り曲げ部２６と第８の折り曲げ部２８との間の部分は、包装容器１３の中間部２０の表面から背面側へ９０°の角度で折り曲げることによって携帯機器１００の左右端における外周面１０３に当接させる第２の当接片４２を構成している。
【００３７】
第５の折り曲げ部２５及び第６の折り曲げ部２６を介して第１の当接片４１及び第２の当接片４２を背面側に折り曲げると、中間部２０には、携帯機器１００の外周面１０３を象った開口部４３が形成される。この開口部４３に携帯機器１００を嵌合させ、携帯機器１００の外周面１０３を第１及び第２の当接片４１，４２に当接させることで、貼付用治具としての中間部２０に対して携帯機器１００を位置決めすることができる。
【００３８】
第７の折り曲げ部２７を挟んで第１の当接片４１に隣接する部分は、開口部４３に嵌合させた携帯機器１００の背面１０２側に配置される第１の背面受け片５１を構成している。また、第８の折り曲げ部２８を挟んで第２の当接片４２に隣接する部分は、開口部４３に嵌合させた携帯機器１００の背面１０２側に配置される第２の背面受け片５２を構成している。第１及び第２の背面受け片５１，５２は、それぞれ第１及び第２の当接片４１，４２に対して９０°の角度で折り曲げられている。中間部２０を変形させた本実施形態の貼付用治具は、第１及び第２の背面受け片５１，５２をテーブル等の作業台１１０の上に乗せた状態で使用する（図８及び図９参照）。
【００３９】
第２の当接片４２の上側及び下側には、第９の折り曲げ部２９を介して支持片５３が設けられている。支持片５３は、第２の当接片４２とともに中間部２０の背面側に折り曲げられたあと、第９の折り曲げ部２９を介して左右方向の外側に９０°の角度で折り曲げられる。そして、図８に示すように、支持片５３は、作業台１１０の上に乗せたときに下端縁が作業台１１０の上に接触し、上端縁が中間部２０の背面に接触する。したがって、支持片５３は、作業台１１０上で中間部２０を下方から支持する。
【００４０】
図６及び図７に示すように、中間部２０の上端部において、貫通孔１９が形成された部分のうち、第４の折り曲げ部２４よりも上側の折り重ね部２０ｂは、保護フィルム１１を保持して移動させるために用いる揺動片としても利用される。この揺動片２０ｂの一面には、仮止めテープ２０ｂ１が取り付けられている。仮止めテープ２０ｂ１には両面テープが用いられ、一方の面が揺動片２０ｂに貼り付けられるとともに、他方の面には剥離フィルムが取り付けられている。
【００４１】
以上のようにして平坦なシート材（中間部２０）が立体的な治具の構造に形成される。以下、貼付用治具を用いた保護フィルム１１の貼り付け方法について説明する。図８は、貼付用治具に携帯機器をセットした状態を示す断面図、図９は、携帯機器に保護フィルムを貼り付ける手順を示す断面図である。
【００４２】
まず、図８及び図９（ａ）に示すように、作製された貼付用治具の第１及び第２の背面受け片５１，５２をテーブル等の作業台１１０の上に載せ、上向きとなった開口部４３に携帯機器１００を嵌合させる。このとき、携帯機器１００の外周面１０３を第１及び第２の当接片４１，４２に当接させることによって、携帯機器１００が貼付用治具に対して位置決めされる。また、携帯機器１００の背面を第１及び第２の背面受け片５１，５２上に載せることによって、貼付用治具に対してより確実に携帯機器１００が位置決めされる。
【００４３】
次に、携帯機器１００の表面（被保護面）１０１上に、剥離フィルム１１ａが付いた状態の保護フィルム１１を正確に位置付ける。そして、図９（ｂ）に示すように、揺動片２０ｂに設けられた仮止めテープ２０ｂ１の剥離フィルムを剥がし、第４の折り曲げ部２４を介して揺動片２０ｂを折り曲げ、仮止めテープ２０ｂ１を携帯機器１００上の保護フィルム１１に貼り付ける。
【００４４】
次いで、図９（ｃ）に示すように、揺動片２０ｂを第４の折り曲げ部２４を支点として上方に揺動し、携帯機器１００上から保護フィルム１１を取り除く。そして、保護フィルム１１の下端から剥離フィルム１１ａを剥がしながら、揺動片２０ｂを第４の折り曲げ部２４を介して再び揺動させ、剥離フィルム１１ａを剥がした部分から保護フィルム１１を携帯機器１００の上面に貼り付ける。
【００４５】
そして、図９（ｄ）に示すように、剥離フィルム１１ａを矢印ｅ方向に引きはがしながら、保護フィルム１１の粘着面を携帯機器１００の上面に貼り付けていく。このとき、保護フィルム１１の上面側からヘラのような押し付け具１１１を当てて、矢印ｆ方向に移動させることで、空気を噛み込むことなく保護フィルム１１を貼り付けることができる。
【００４６】
保護フィルム１１の粘着面全体を携帯機器１００に貼り付けた後、揺動片２０ｂにおける仮止めテープ２０ｂ１を保護フィルム１１から取り外す。以上の作業により、携帯機器１００の表面１０１に対して正確な位置にきれいに保護フィルム１１が貼り付けられる。
【００４７】
以上のように本実施形態における保護フィルムの包装製品１においては、保護フィルム１１を包装する包装具１０の包装容器１３の一部が貼付用治具を構成し、この貼付用治具を用いて正確な位置にきれいに保護フィルム１１を貼り付けることができる。したがって、貼付用治具を安価に構成することができるとともに、包装具１０によって保護フィルム１１を包装した包装製品の状態では、一般的に販売されている保護フィルムの包装製品（貼付用治具を備えないの包装製品）と同様に、薄くコンパクトに構成することができる。
【００４８】
また、包装容器によって構成される貼付用治具は紙製であるので軽量であり、使用後は容易に廃棄することができる。
上記実施形態の貼付用治具は、包装具１０を吊り下げるための貫通孔１９が形成される折り重ね部２０ｂを利用して揺動片を構成しているので、当該揺動片を設けるために別途部材を追加する必要もない。
【００４９】
包装容器１３は、切れ目や折り曲げ部が形成された中間部２０の表面側を覆う表面部１４と背面側を覆う背面部１５とを備えているので、保護フィルム１１を包装した状態で中間部２０における切れ目や折り曲げ部が外部に露出することはなく、包装製品の見栄えの悪化を防止することができる。ただし、背面部１５は省略することができ、中間部２０と表面部１４との間に保護フィルム１１を挟み込むことによって保護フィルム１１を包装してもよい。この場合、中間部２０が、背面部を構成することになる。
【００５０】
[他の実施形態]
本発明は、上記実施形態に限定されるものではなく、特許請求の範囲に記載された発明の範囲内において適宜変更することができる。例えば、以下のように変更することができる。
（１）上記実施形態では、包装具１０が、包装袋１２と、包装容器１３とから構成されていたが、包装袋１２を省略し、包装容器１３のみによって構成されていてもよい。包装容器１３を単独で包装具１０として使用する場合には、表面部１４、背面部１５、及び中間部２０を折り重ねた状態が保持されるように、適宜箇所をテープ等によって固定することが好ましい。また、包装容器１３は、箱形に形成されていてもよく、箱の一側面の構成するシート材を貼付用治具としてもよい。
【００５１】
（２）上記実施形態では、貼付用治具としてのシート材が、包装具１０である包装容器１３の一部を構成していたが、本発明の貼付用治具は、包装具として構成されていなくてもよい。例えば、上記実施形態の包装容器１３のうち、中間部２０に相当する部分のみが保護部材１１とともに包装されていてもよい。この場合、中間部２０に相当する部分（貼付用治具としてのシート材）を、包装袋１２の台紙（芯材）として機能させてもよい。
【００５２】
（３）上記実施形態では、貼付用治具としてのシート材（包装具１０）が保護フィルム１１とセットとなって包装製品１を構成していたが、貼付用治具としてのシート材（中間部）２０が単独で製品として提供されていてもよい。また、貼付用治具としてのシート材２０は、厚紙等の紙製に限らず、折り曲げが可能な合成樹脂材等により形成することができる。
【００５３】
（４）上記実施形態では、当接片４１，４２が包装容器１３（中間部２０）の背面側に切り起こされていたが、表面側に切り起こされてもよい。この場合、切り起こされた当接片に囲まれた領域に携帯機器１００を嵌合し、貼付用治具に携帯機器１００を固定することができる。
【００５４】
（５）上記実施形態では、携帯機器１００の表示画面１０１ａを含む表面１０１に保護フィルム１１を貼り付ける例について説明したが、背面１０２に保護フィルム１１を貼り付ける場合にも上記実施形態の貼付用治具を適用することができる。この場合、保護フィルム１１は必ずしも透明でなくてもよく、着色や模様等が施されてもよい。また、表示画面１０１ａを含む表面１０１に保護フィルム１１を貼り付ける場合も、表示画面１０１ａを覆う部分のみを透明とし、他に着色や模様等が施されていてもよい。
【００５５】
（６）本発明は、スマートフォンに限らず、タブレット端末、携帯音楽プレーヤー、携帯ゲーム端末等のあらゆる携帯機器に貼り付けられる保護部材の貼付用治具に適用することができる。
【符号の説明】
【００５６】
１        ：保護部材包装製品
１０      ：包装具
１１      ：保護フィルム（保護部材）
１２      ：包装袋
１３      ：包装容器
２０      ：中間部（貼付用治具）
２０ｂ    ：揺動片
４１      ：第１の当接片
４２      ：第２の当接片
５１      ：第１の背面受け片
５２      ：第２の背面受け片
１００    ：携帯機器
１０１    ：表面（被保護面）
【図１】
2017211423.tif 000003
【図２】
2017211423.tif 000004
【図３】
2017211423.tif 000005
【図４】
2017211423.tif 000006
【図５】
2017211423.tif 000007
【図６】
2017211423.tif 000008
【図７】
2017211423.tif 000009
【図８】
2017211423.tif 000010
【図９】
2017211423.tif 000011